(57)【要約】      （修正有）【課題】静音性に優れたトイレットペーパー用のペーパーホルダーを提供する。【解決手段】帯状のペーパーを芯材Ｃの外周面に巻き付けて構成されたペーパーロールＲを軸心回りに回転自在に保持するペーパーホルダーに関する。ペーパーホルダーは、左右一対の支持ブラケット６を有するホルダー本体２と、支持ブラケット６の先端部の左右方向内面にそれぞれ水平軸回りに回転自在に設けられた左右一対の保持部材７とを備える。保持部材７は、芯材Ｃより大径でかつ左右方向内側に膨らむ当接面を有する。支持ブラケット６は、芯材Ｃの軸方向両側の開口縁に当接面を押し付けた状態で芯材Ｃを軸圧縮方向に挟持する弾性力を有する。【選択図】図３
2012250009.tif 000002
【特許請求の範囲】
【請求項１】
帯状のペーパーを芯材の外周面に巻き付けて構成されたペーパーロールを軸心回りに回転自在に保持するペーパーホルダーであって、
左右一対の支持ブラケットを有するホルダー本体と、
前記支持ブラケットの先端部の左右方向内面にそれぞれ水平軸回りに回転自在に設けられた左右一対の保持部材とを備えており、
前記保持部材は、前記芯材より大径でかつ左右方向内側に膨らむ当接面を有し、前記支持ブラケットは、前記芯材の軸方向両側の開口縁に前記当接面を押し付けた状態で前記芯材を軸圧縮方向に挟持する弾性力を有することを特徴とするペーパーホルダー。
【請求項２】
左右の前記支持ブラケットは、左右の前記保持部材の間に前記芯材を強制的に押し込んだ際に左右方向外側面側に弾性変形可能である請求項１に記載のペーパーホルダー。
【請求項３】
前記ホルダー本体の上端部に前記支持ブラケット間に装着された前記ペーパーロールの前記ペーパーを切断するためのカッタープレートが上下揺動自在に取り付けられ、
前記カッタープレートの左右両端部に、前記支持ブラケットの外側面に当接して当該支持ブラケットの左右方向の剛性を高めるバックアップアームが設けられていることを特徴とする請求項１又は２に記載のペーパーホルダー。
【請求項４】
前記保持部材の回転ボス部とこの回転ボス部に挿通された支持軸の間に、弾性シューが介装されていることを特徴とする請求項１〜３のいずれかに記載のペーパーホルダー。
【発明の詳細な説明】
【技術分野】
【０００１】  本発明は、トイレットペーパー等のペーパーロールを回転自在に保持するためのペーパーホルダーに関するものである。
【背景技術】
【０００２】  この種のペーパーホルダーとして、左右一対のブラケットを有するホルダー本体と、その左右の支持ブラケット間に着脱自在に架設される支持軸と、ホルダー本体の上端部に上下揺動自在に取り付けられたカッタープレートとを備えたものが知られている（特許文献１参照）。
この従来のペーパーホルダーでは、支持ブラケットから取り外した支持軸をペーパーロールの芯材に挿通し、この状態で支持軸の端部を支持ブラケットに取り付けることで、ペーパーロールを支持ブラケット間に回転自在に保持できるようになっている。
【先行技術文献】
【特許文献】
【０００３】
【特許文献１】  特開２００１−３４０２５５号公報
【発明の概要】
【発明が解決しようとする課題】
【０００４】  上記従来のペーパーホルダーでは、装着されたペーパーロールを回転し易くすために、芯材の内径寸法と支持軸の外形寸法の差が大きくなっており、支持軸は大きな遊びを持った状態で芯材に挿通される。
このため、装着されたペーパーロールのペーパーを勢いよく繰り出すと、芯材がガタつきがら支持軸の回りを回転し、その回転の際に騒音を発するという問題があった。【０００５】  特に、公衆施設のトイレのユーザーや女性ユーザーの場合に、ペーパーロールの繰り出し音が気になり、落ち着いて用を足せないという意見が多い。
本発明は、このような従来の課題に鑑み、ペーパーロールを静かに繰り出すことができる静音性に優れたペーパーホルダーを提供することを目的とする。
【課題を解決するための手段】
【０００６】  本発明のペーパーホルダーは、帯状のペーパーを芯材の外周面に巻き付けて構成されたペーパーロールを軸心回りに回転自在に保持するペーパーホルダーであって、左右一対の支持ブラケットを有するホルダー本体と、前記支持ブラケットの先端部の左右方向内面にそれぞれ水平軸回りに回転自在に設けられた左右一対の保持部材とを備えており、前記保持部材は、前記芯材より大径でかつ左右方向内側に膨らむ当接面を有し、前記支持ブラケットは、前記芯材の軸方向両側の開口縁に前記当接面を押し付けた状態で前記芯材を軸圧縮方向に挟持する弾性力を有することを特徴とする。【０００７】  本発明のペーパーホルダーによれば、保持部材が、芯材より大径でかつ左右方向内側に膨らむ当接面を有し、支持ブラケットが、芯材の軸方向両側の開口縁に当接面を押し付けた状態で芯材を軸圧縮方向に挟持する弾性力を有するので、水平軸回りに回転自在な左右の保持部材により、ペーパーロールの芯材を遊びのない状態で保持することができる。
従って、ペーパーロールを静かに繰り出すことができ、静音性に優れたペーパーホルダーを提供することができる。【０００８】  本発明のペーパーホルダーにおいて、左右の前記支持ブラケットは、左右の前記保持部材の間に前記芯材を強制的に押し込んだ際に左右方向外側面側に弾性変形可能であることが好ましい。
この従属発明によれば、左右の保持部材の間に芯材を強制的に押し込むだけで、軸方向両側の開口縁を保持部材の開口縁に嵌め込むことができ、ペーパーロールを簡単に装着できるようになる。【０００９】  本発明のペーパーホルダーにおいて、前記ホルダー本体の上端部に前記支持ブラケット間に装着された前記ペーパーロールの前記ペーパーを切断するためのカッタープレートが上下揺動自在に取り付けられ、前記カッタープレートの左右両端部に、前記支持ブラケットの外側面に当接して当該支持ブラケットの左右方向の剛性を高めるバックアップアームが設けられていることが好ましい。【００１０】  この従属発明によれば、バックアームアームが、支持ブラケットの外側面に当接して当該支持ブラケットの左右方向の剛性を高めるので、装着されたペーパーロールの芯材が保持部材から簡単に離脱するのを防止することができる。【００１１】  本発明のペーパーホルダーにおいて、前記保持部材の回転ボス部とこの回転ボス部に挿通された支持軸の間に、弾性シューが介在されていることが好ましい。
この従属発明によれば、弾性シューの介在によって保持部材の回転時のガタつきが低減されるので、ペーパーロールをより一層静かに繰り出すことができ、ペーパーホルダーの静音性を更に高めることができる。
【発明の効果】
【００１２】  本発明によれば、ペーパーロールの芯材を遊びのない状態で保持できるので、ペーパーロールを静かに繰り出すことができ、静音性に優れたペーパーホルダーが得られる。
【図面の簡単な説明】
【００１３】
【図１】  本発明の実施形態に係るペーパーホルダーの斜視図である。
【図２】  上記ペーパーホルダーの正面図である。
【図３】  上記ペーパーホルダーの平面断面図である。
【図４】  上記ペーパーホルダーの側面断面図である。
【発明を実施するための形態】
【００１４】  以下、図面に描かれた本発明の実施形態を説明する。
図１〜図４に示すように、本実施形態のペーパーホルダー１は、帯状のペーパーを芯材Ｃの外周面に巻き付けて構成されたペーパーロールＲを軸心回りに回転自在に保持するものであり、取付ねじによってトイレの壁面などに装着して使用される。
【００１５】  このペーパーホルダー１は、左右一対の支持ブラケット６を有するホルダー本体２と、このホルダー本体２に上下揺動自在に取り付けられたカッタープレート４とを備える。
ホルダー本体２は、硬質プラスチック等からなり、壁面に対してねじ止めされる取付プレート５と、この取付プレート５の左右両端縁から前方に突出する左右一対の支持ブラケット６とを一体に有している。
【００１６】  左右の支持ブラケット６は、前後方向に延びるアーム部６Ａと、このアーム部６Ａの先端部に一体に設けられた円板状の回転支持部６Ｂとを有する。
左右の回転支持部６Ｂの左右方向内面には、それぞれ水平軸回りに回転自在となるように保持部材７が取り付けられている。
すなわち、各回転支持部６Ｂの中心部には支持軸９（図３参照）が水平方向に突設され、この支持軸９に保持部材７の回転ボス部を嵌め込むことで、保持部材７が水平軸心回りに回転自在に取り付けられている。
【００１７】  なお、保持部材７の回転ボス部と支持軸９の間には、シリコンゴム等よりなる弾性シュー１０が介装されており、これにより、保持部材７が支持軸９に対して殆どガタつきなく回転するようになっている。
【００１８】  本実施形態の保持部材７は、ペーパーロールＲの芯材Ｃよりも大径で、かつ、左右方向内側に膨らむ当接面１１を有し、図例の保持部材７では、当接面１１がほぼ球面に形成されている。
もっとも、保持部材７の当接面１１は、円錐形などの他の湾曲形状であってもよく、芯材Ｃの開口縁を潰さない程度の鈍角な多角錐形状であってもよい。
【００１９】  図３に示すように、左右の保持部材７間の最短距離Ｌ１が、芯材Ｃの軸方向長さＬ２よりも小さくなるように、左右の支持ブラケット６の取付間隔が設定されている。
また、支持ブラケット６のアーム部６Ａは、左右方向に弾性変形自在な板材よりなり、その弾性変形可能な水平方向の範囲ΔＬは、（Ｌ２−Ｌ１）の半分よりも大きい。
【００２０】  このため、ペーパーロールＲを左右の支持ブラケット６の保持部材７間に強制的に押し込むと、支持ブラケット６のアーム部６Ａが左右方向外側に弾性変形する。そして、保持部材７の当接面１１が芯材Ｃの軸方向両側の開口縁に合致したところで、当接面１１の一部が開口縁の内部に嵌合してその開口縁を閉塞する。
この際、アーム部６Ａの弾性力により、左右の保持部材７の当接面１１が芯材Ｃの軸方向両側の開口縁に押し付けられ、芯材Ｃが保持部材７によって保持される。
【００２１】  カッタープレート４は、その基端部が取付プレート５の上端部に上下方向に回動可能に取り付けられており、ペーパーを幅方向に切断するためのカッター縁が、カッタープレート４の先端側に形成されている。
また、カッタープレート４の左右両端部には、前傾め下方に延びるバックアップアーム１２が一体に設けられている。このバックアップアーム１２は、支持ブラケット６の外側面に当接して当該支持ブラケット６の剛性を高めるためのものである。
【００２２】  すなわち、図１及び図４において実線で示すように、バックアップアーム１２の先端部は、支持ブラケット６の回転支持部６Ｂよりもやや大きい円形状に形成され、その回転支持部６Ｂの外側面にちょうど当接して、回転支持部６Ｂが左右方向外側に変位し難くなるようバップアップする機能を有する。
なお、カッタープレート４が最上位に回動された状態（図１の仮想線状態）では、バックアップアーム１２の先端部が回転支持部６Ｂから外れる。従って、ペーパーロールＲの装着時に、支持ブラケット６が弾性変形し難くなることはない。
【００２３】  本実施形態のペーパーホルダー１によれば、保持部材７が、芯材Ｃより大径でかつ左右方向内側に膨らむ当接面１１を有し、支持ブラケット６が、芯材Ｃの軸方向両側の開口縁に当接面１１を押し付けた状態で芯材Ｃを軸圧縮方向に挟持する弾性力を有する。
このため、水平軸回りに回転自在な左右の保持部材７により、ペーパーロールＲの芯材Ｃを遊びのない状態で保持することができ、ペーパーロールＲの繰り出しを静かに行えるようになる。
【００２４】  また、本実施形態のペーパーホルダー１によれば、左右の保持部材７の間に芯材Ｃを強制的に押し込むだけで、芯材Ｃの軸方向両側の開口縁に保持部材７に嵌め込むことができるので、ペーパーロールＲを装着を簡単に行うことができる。
更に、本実施形態のペーパーホルダー１によれば、カッタープレート４に設けたバックアップアーム１２が支持ブラケット６の外側面に当接してその左右方向の剛性を高めるので、装着後のペーパーロールＲの芯材Ｃが保持部材７から簡単に離脱するのを未然に防止できる。
【００２５】  また、本実施形態のペーパーホルダー１によれば、保持部材７の回転部分に弾性シュー１０を介在することで、保持部材７の回転時のガタつきも低減させているので、弾性シュー１０がない場合に比べて、ペーパーロールＲをより一層静かに繰り出すことができる。
【符号の説明】
【００２６】１：ペーパーホルダー    ２：ホルダー本体    ４：カッタープレート
５：取付プレート    ６：支持ブラケット    ７：保持部材    ９：支持軸
１０：弾性シュー    １１：当接面    １２：バックアップアーム
Ｒ：ペーパーロール    Ｃ：芯材
【図１】
2012250009.tif 000003
【図２】
2012250009.tif 000004
【図３】
2012250009.tif 000005
【図４】
2012250009.tif 000006